(57)【要約】【課題】圧力炊飯器の衛生、安全性、使用利便性を改善すること。【解決手段】本考案は内部に内釜及び制御部が具備された本体と、本体を覆うふたを含む圧力炊飯器の蒸気排出装置において、制御部と電気的に繋がれ、自動的に直線に移動される作動棒を持って、本体に具備されたソレノイド; ふたの上部に具備されるが、内部に空間が形成された補助カバー部; 作動棒の移動によって回動されるように、補助カバー部の内部に回動可能に繋がれたレバー; 及びレバーが回動しながら移動し、内釜内部の蒸気が排出されるようにふたに具備される蒸気排出管を選択的に開閉させるように連動されるプランジャーを含んで成り立つ圧力炊飯器の蒸気排出装置を提供する。【選択図】図９
0003124242.tif 000002
【実用新案登録請求の範囲】
【請求項１】
内部に内釜及び制御部が具備された本体と、本体を覆うふたを含む圧力炊飯器の蒸気排出装置において、
制御部と電気的に繋がれて自動的に直線移動される作動棒を持ち、本体に具備されたソレノイドと、
ふたの上部に具備されるが、内部に空間が形成された補助カバー部と、
作動棒の移動によって回動するよう、補助カバー部の内部に回動可能な状態に繋がれたレバーと、
レバーの回動によって移動し、内釜内部の蒸気が排出されるようにふたに具備した蒸気排出管を自動的に開閉させるように連動したプランジャーと
を含んでいることを特徴とする圧力炊飯器の蒸気排出装置。
【請求項２】
蒸気排出管と向かい合う部分の補助カバー部にはプランジャーの移動を誘導するホルダーが具備されて、ホルダーとプランジャーの間隙間を通じて蒸気が補助カバー部の内側に流入することを防止するようにプランジャーの端部とホルダーの間にはダイヤフラムが介在されることを特徴とする、請求項１に記載の圧力炊飯器の蒸気排出装置。
【請求項３】
プランジャーの下端には蒸気排出管と自動的に接触されて密閉させるシーツ部が具備されることを特徴とする、請求項１に記載の圧力炊飯器の蒸気排出装置。
【請求項４】
片側にレバーを回動可能に支持する回動軸が結合されるよう、補助カバー部の内側上部で突き出された装着台が具備されることを特徴とする、請求項１に記載の圧力炊飯器の蒸気排出装置。
【請求項５】
ソレノイド作動棒は上下に移動されるように配置されて、補助カバー部の片側には作動棒の上下移動に対応して上下に移動する伝達部材が具備されて、レバーの片側は伝達部材に繋がれることを特徴とする、請求項１に記載の圧力炊飯器の蒸気排出装置。
【請求項６】
プランジャーは補助カバー部に具備されたホルダーの内側に介在されたプランジャースプリングによって蒸気排出管が開放される方向に弾性の力が支えられることを特徴とする、請求項５に記載の圧力炊飯器の蒸気排出装置。
【請求項７】
レバーの片側にはホールが形成されて伝達部材の上側に十分な長さを持って交差するよう形成された第１上端部がホールに挿入され、第１上端部の上面には上下移動の際、レバーの離脱を防ぎ、伝達部材下降の際、レバーと接触されてレバーを下降させる固定口が結合されることを特徴とする、請求項５に記載の圧力炊飯器の蒸気排出装置。
【請求項８】
伝達部材は伝達部材スプリングによって、下向きに弾性の力が支えられることを特徴とする、請求項５に記載の圧力炊飯器の蒸気排出装置。
【請求項９】
作動棒の上昇が伝達部材を通じてレバーの片側を上昇させれば、レバーの他端が降りてプランジャーを加圧し、プランジャー下端に具備されたシーツ部が蒸気排出管を密閉させることを特徴とする、請求項５に記載の圧力炊飯器の蒸気排出装置。
【請求項１０】
ソレノイド作動棒は水平方向に前進/後退されるように配置され、補助カバー部の片側には作動棒の前進/後退に対応して移動される伝達部材が具備されて、レバーの片側は伝達部材と接触されて自動的に回動することを特徴とする、請求項１に記載の圧力炊飯器の蒸気排出装置。
【請求項１１】
プランジャーは補助カバー部に具備されたホルダーの内側に介在されたプランジャースプリングによって蒸気排出管が閉鎖される方向に弾性の力が支えられることを特徴とする、請求項１０に記載の圧力炊飯器の蒸気排出装置。
【請求項１２】
プランジャーの第２上端部は十分な長さを持って交差するよう形成されて、第２上端部はレバーの他の側に形成されたホールに挿入されて、第２上端部の上面には上下移動の際、レバーの離脱を防止してプランジャーの下降の際、レバーと接触されてレバーを下降させる固定口が結合されることを特徴とする、請求項１０に記載の圧力炊飯器の蒸気排出装置。
【請求項１３】
伝達部材は伝達部材スプリングによってレバーの一軸から後退する方向に弾性の力が支えられることを特徴とする、請求項１０に記載の圧力炊飯器の蒸気排出装置。
【請求項１４】
作動棒が前進して伝達部材を通じてレバーの片側を加圧して回動させれば、レバーの他端が上昇しながらプランジャーを上昇させ、プランジャー下端に具備されたシーツ部が蒸気排出管を開放させることを特徴とする、請求項１０に記載の圧力炊飯器の蒸気排出装置。
【請求項１５】
ふたには開閉錘が乗せられた開閉錘の蒸気排出管が具備されて、内釜内部が一定圧力以上である場合、開閉錘の蒸気排出口が開放されることを特徴とする、請求項１に記載の圧力炊飯器の蒸気排出装置。
【請求項１６】
蒸気排出管を通じて排出される蒸気の方向を一方向に誘導するように補助カバー部には誘導路が形成されるが、誘導路は排出される蒸気が上側を向くように形成されることを特徴とする、請求項１に記載の圧力炊飯器の蒸気排出装置。
【考案の詳細な説明】
【技術分野】
【０００１】
本考案は圧力炊飯器に関し、特に圧力炊飯器の内釜に充填された高温高圧の蒸気を圧力炊飯器外部に排出させる圧力炊飯器の蒸気排出装置に関する。
【背景技術】
【０００２】
一般的に、圧力炊飯器は内釜内部を加熱して高温高圧の状態にして食べ物を調理する器機である。ここで、内釜内部の圧力が過度に上昇されるによって爆発などの事故発生を防ぐために、内釜内部で食べ物の調理の際発生する高温及び高圧の蒸気を排出し、内釜内部の圧力を通常の圧力に維持する必要がある。
【０００３】
従来の圧力炊飯器は炊事が完了すれば、ふた部に装着された開閉錘を片方に傾けるようにして開閉錘と 開閉錘蒸気管の間の蒸気排出通路を作って内部の蒸気を排出、また、別途の自動蒸気排出用のソレノイドバルブをふたに装着して炊事が終わる際、制御機の電気的な制御によってバルブを開放し、内部蒸気を排出するようになっている。
【０００４】
以下、 開閉錘を使う場合とソレノイドバルブを使う場合の従来技術による圧力炊飯器及びその問題点を比較説明する。
【０００５】
図１は従来技術による開閉錘を使って蒸気を排出する圧力炊飯器の断面図であり、図２及び図３は開閉錘が開閉する場合を現わした要部拡大図である。
【０００６】
図１で見るように、従来の圧力炊飯器は本体（１０）、内釜（２０）、ふた（３０）、内釜（２０）内部を密閉させるカバーパッキング（３３）、開閉錘（３１）、開閉錘蒸気排出管（３２）、開閉錘（３１）と連動されるように装着された蒸気排出装置（４０）、蒸気排出装置（４０）と連動されるように装着された本体のソレノイド（１３）を含んで構成している。
【０００７】
図２及び図３で見るように、食べ物の調理中には内釜（２０）内部の圧力によって開閉錘（３１）が開閉錘蒸気排出管（３２）から持ち上げられるようにすることで、内釜（２０）内部の蒸気が排出されるようにし、内釜（２０）内部の圧力を一定の水準に維持することができる。
【０００８】
さらに、圧力炊飯器の内釜（２０）に収容された食べ物の調理が終了すれば制御部（１１）からソレノイド（１３）を制御し、ソレノイド作動棒（１４）が圧力炊飯器ふた（３０）の片方に装着された蒸気排出装置（４０）に作られたレバー（６０）の端で下降し、レバー（６０）の端が下降する。
【０００９】
この時、蒸気排出装置（４０）の装着台（６２）に回動軸（６１）を軸にして回転可能に装着されたレバー（６０）の先端がレバー（６０）の端と反対方向に回動しながら上昇する。これを通じて、レバー（６０）の先端が上昇すると共にレバー（６０）の先端が接触した開閉錘（３１）の片方端が上昇する。開閉錘（３１）が蒸気排出管（３２）を中心に傾きながら蒸気排出管（３２）の上側開口部に挟まれた開閉錘（３１）の先端部の開口部で離脱されながら蒸気排出管（３２）の上面の開口部が開放され、内釜（２０）に充填された残留蒸気が食べ物の調理終了と共に自動で排出される。蒸気排出管（３２）を通じて排出される蒸気は開閉錘（３１）内部の空間を過ぎてふたを上側方向に方向を変えて排出される。
【００１０】
しかし、排出される高温高圧の蒸気の方向はふた（３０）の上面となるので、ふた上面が汚れる問題点があった。また、蒸気の排出方向が一定とは限らず使用者の誤使用の際、やけどの恐れがあった。 
【００１１】
さらに、内部蒸気の排出管路が一つに限定されるので、排出管路が異物によって詰まる場合蒸気が排出されることができない事による内釜内部の過度な圧力が形成されることで、爆発する恐れがあり、製品の安全性に大きい問題点を現わしている。
【００１２】
一方、図４は従来技術によるソレノイドバルブを使って蒸気を排出させる圧力炊飯器の断面図であり、図５は上記ソレノイドバルブが開かれた場合を現わした要部拡大図である。 
【００１３】
図４及び図５で見るように、従来の圧力炊飯器は本体（１１０）、ふた（１３０）、内釜内部を密閉させるカバーパッキング（１３３）、開閉錘（１３１）、蒸気排出管（１３２）、制御機（１１１）、連結電線（１１２）、蒸気排出用ソレノイドバルブ（１４０）を含んで構成している。ここで、圧力炊飯器のふた（１３０）に装着されたソレノイドバルブ（１４０）が自動的に開かれ、内釜（１２０）内部の蒸気が排出されるようにする。
【００１４】
このような圧力炊飯器で、食べ物調理の際には開閉錘（１３１）は圧力炊飯器内部の圧力を一定的に維持させ、食べ物の調理終了の際には本体（１１０）に具備された制御機（１１１）と連結電線（１１２）で繋がれたふた（１３０）の蒸気排出用ソレノイドバルブ（１４０）が制御機（１１１）の電気的信号によって開かれ、内釜に充填された蒸気が自動的に排出されるようになっている。 
【００１５】
ソレノイドバルブ（１４０）はふた（１３０）の上面の固定口（１６８）に固定し装着され、本体（１１０）に具備された制御機（１１１）と電気による連結のために連結電線（１１２）で繋ぐ。制御機（１１１）の電気的信号によって動作するソレノイドバルブ（１４０）は内釜（１２０）内部の蒸気を自動的に排出させる。
【００１６】
しかし、このような構造の圧力炊飯器は連結電線（１１２）で繋がれたふた（１３０）と本体（１１０）を完全に分離しにくい問題点があり、ふた（１３０）に別途の充電部が具備されるので、ふた（１３０）自体を水洗いすることができない問題点があった。
【００１７】
このような分離及び水洗い不可能のような問題点によって、ふた（１３０）に装着された蒸気排出用ソレノイドバルブ（１４０）連結部の隙間またはカバーパッキング（１３３）、開閉錘（１３１）及び蒸気排出管（１３２）の隙間などのように、ふたに存在する隙間の汚れ、その他食べ物が付着して変質する恐れがあって、常時食べ物と直接接触するふた（１３０）の衛生に大きな問題点があった。
【考案の開示】
【考案が解決しようとする課題】
【００１８】
上記のような問題点を解決するために、本考案の目的は製品の便利さと安全性を高めることと共に、製品本体とふたを分離可能にさせ、ふたの水洗いも可能にし、製品の衛生状態を清潔に維持するようにすることである。
【００１９】
本考案の他の目的は、圧力調理の際、専用加熱装置以外のガス火、または他のキッチン加熱器機を利用し、調理が可能になるように、受動蒸気排出が可能にすることで、使用者の調理の利便性を高めることである。
【課題を解決するための手段】
【００２０】
上記の目的を果たすために、本考案は内部に内釜及び制御部が具備された本体と、本体を覆うふたを含む圧力炊飯器の蒸気排出装置において、制御部と電気的に繋がれて自動的に直線移動される作動棒を持つ、本体に具備されたソレノイドと、ふたの上部に具備されるが、内部に空間が形成された補助カバー部と、作動棒の移動によって回動されるように、補助カバー部内部に回動可能に繋がれたレバーと、レバーの回動によって移動し、内釜内部の蒸気が排出されるようふたに具備される蒸気排出管を選択的に開閉させるようプランジャーとを含んでいる圧力炊飯器の蒸気排出装置を提供する。
【００２１】
ここで、本考案の実施形態によると、ソレノイド作動棒は上下に移動されるように配置され、補助カバー部の片側には作動棒の上下移動に対応して上下に移動される伝達部材が具備され、レバーの片側は伝達部材に繋がれるのが望ましい。ここで、プランジャーは補助カバー部に具備されたホルダー内側に介在されたプランジャースプリングによって蒸気排出管が開かれる方向に弾性の力が支えられるのが望ましい。
【００２２】
一方、本考案の他の実施形態によると、ソレノイド作動棒は水平方向に前進/後退されるように配置され、補助カバー部の片側には作動棒の前進/後退に対応して移動される伝達部材が具備される。さらに、レバーの片側は伝達部材と接触され自動的に回動されることが望ましい。ここで、プランジャーは補助カバー部に具備されたホルダー内側に介在するプランジャースプリングによって蒸気排出管が閉鎖される方向に弾性の力が支えられるのが望ましい。
【考案の効果】
【００２３】
前述したように、本考案による圧力炊飯器の蒸気排出装置は次のような効果を持つ。
【００２４】
第一、圧力炊飯器のふたの内部圧力を調節する開閉錘と別途の蒸気排出装置が装着されて製品の安全性を高め、蒸気排出装置はふたに設置された単純なな部品と本体に設置されたソレノイドを含めた電気的な部品に分離して具備されることで、圧力炊飯器の本体とふたが分離可能になり、ふたの装着脱装及び交換は勿論、圧力調理及び多様な非圧力調理も可能になっている。
【００２５】
第二、ふたの充電部を無くすことで電気的な部品の故障の心配なしで、ふた自体の自由な水洗いが可能になり、常時食べ物の接触があるふたの衛生及び安全性を著しく改善することができる。これと共に、内釜及びふたが本体から分離した状態で外部に露出する伝達部材の受動操作を通じて蒸気排出が可能になることで、本体に具備された専用加熱器機以外の他のキッチン用加熱機器やガスの火にも圧力調理ができるようにし、使用者の便利性を高めることができる。
【００２６】
第三、ふたに具備された蒸気排出管を選択的に開閉させるプランジャー及びシーツ部の内側がダイヤフラムによって密閉されることで、補助カバー部の内側で蒸気がこもることを防止して掃除及び衛生管理がしやすいようにする。さらに、蒸気排出装置の蒸気排出口が上に向くよう補助カバー部内部の誘導路を形成することで蒸気が多方向に排出され、使用者がやけどをすることを防ぐことができる。
【００２７】
以下、添付された図面を参考にし、本考案の望ましい実施形態による圧力炊飯器の蒸気排出装置を詳しく説明する。
【考案を実施するための最良の形態】
【００２８】
図６は本考案の実施形態による圧力炊飯器の断面図で、図７及び図８は、圧力炊飯器の蒸気排出装置の要部を拡大した断面図であり、図９は圧力炊飯器の本体からふたが分離した状態を現わした断面図である。
【００２９】
図６または図８で見るように、本考案による圧力炊飯器は内部に食べ物が保存される内釜（２２０）及び制御部（２１１）が具備された本体（２１０）と、内釜（２２０）の上面を覆うふた（２３０）を含んでいる。ここで、本体（２１０）とふた（２３０）は分離可能に具備されることが望ましい。また、内釜（２２０）とふた（２３０）の間には密閉構造のためにカバーパッキング（２３３）が具備される。
【００３０】
ふた（２３０）には開閉錘（２３１）が載せられた開閉錘蒸気排出管（２３２）が具備され、内釜（２２０）内部が通常の圧力以上である場合、開閉錘蒸気排出管（２３２）が開放されるようにした方が望ましい。さらに、本体（２１０）とふた（２３０）の片側を連結する部分には蒸気排出装置（２４０）が具備される。
【００３１】
したがって、食べ物の調理の際は開閉錘蒸気排出管（２３２）によって内釜（２２０）内部の圧力が調節され、食べ物の調理の際、または終了の後には蒸気排出装置（２４０）によって内釜（２２０）内部の蒸気を排出することができる。このように蒸気排出構造が二重に具備されることで、どちらか一つの蒸気排出構造が損傷されて作動しなくても他の一つが作動し過度な圧力上昇による爆発などの事故を防止することができる。
【００３２】
さらに、蒸気排出装置（２４０）はソレノイド（２１３）の作動によって常時蒸気が排出されることで圧力調理だけでなく非圧力調理も可能にする。
【００３３】
なお、付け加えると蒸気排出装置（２４０）はソレノイド（２１３）、補助カバー部（２５０）、レバー（２６０）、そしてプランジャー（２６３）を含んでいることが望ましい。
【００３４】
ここで、ソレノイド（２１３）は制御部（２１１）と連結電線（２１２）によって電気的に繋がれて自動的に直線移動されるように操作される作動棒（２１４）を持ち、ソレノイド（２１３）、連結電線（２１２）、そして制御部（２１１）はすべて本体（２１０）に具備される。よって、ふた（２３０）に別途の充電部を具備させる必要がない。
【００３５】
そして、補助カバー部（２５０）はふた（２３０）の上部片側に具備されるが、内部に空間が形成され、補助カバー部（２５０）の内部にはレバー（２６０）が回動可能な状態に繋がれる。レバー（２６０）は作動棒（２１４）の上下移動に対応して自動的に回動される。
【００３６】
このために、補助カバー部（２５０）の内側上部で突き出された装着台（２６２）が具備されて、装着台（２６２）の片側にレバー（２６０）を回動可能に支持する回動軸（２６１）が結合されることが望ましい。
【００３７】
ここで、補助カバー部（２５０）はふた（２３０）の上部に具備された蒸気排出管（２５４）と向き合う部分をカバーするように配置されるが、蒸気排出管（２４０）はふた（２３０）に形成された開口部（２５３）の枠内にナット（２５５）締結を通じて結合される。また、蒸気排出管（２５４）を通じて排出される蒸気の方向を一つ方向に導くように補助カバー部（２５０）には導入路が（２７１）が形成されるが、導入路（２７１）は蒸気が排出される蒸気排出口（２７２）が上側を向けるように形成されることが望ましい。よって、高温の蒸気が多方向に排出されることで使用者がやけどする問題を防止することができる。
【００３８】
一方、ソレノイド作動棒（２１４）は上下に移動されるように配置され、補助カバー部（２５０）の片側には作動棒（２１４）の上下移動に対応して上下に移動される伝達部材（２６６）が具備されることが望ましく、作動棒（２１４）の上下移動は伝達部材（２６６）を経由してレバー（２６０）の片側に伝える。
【００３９】
レバー（２６０）の片側と伝達部材（２６６）の連結関係に関して、レバー（２６０）の片側にはホールが形成され、伝達部材（２６６）の上側に十分な長さのある段差に形成された第１上端部がホールに挿入される。これと共に、第１上端部の上面には上下移動の際、レバー（２６０）の離脱を防止して伝達部材（２６６）が下降する際、レバー（２６０）と接触されてレバー（２６０）を下降させる固定口（２６８）が結合される。すなわち、第１上端部の直径はレバー（２６０）のホールより小さく形成され、レバー（２６０）の片側は第１上端部の上下方向に所定の間隔を持って規則的に並べられる。
【００４０】
また、プランジャー（２６３）はレバー（２６０）の他の側に接触され、レバー（２６０）が回動されることによって内釜（２２０）内部の蒸気が排出される。このようになったふた（２３０）に具備される蒸気排出管（２５４）を自動的に開閉できるようにプランジャー（２６３）は上下方向に連動される。すなわち、ソレノイドの作動棒（２１４）は伝達部材（２６６）を経由してレバー（２６０）の片側を回動させ、レバー（２６０）の他の側はプランジャー（２６３）を上下移動させることによってプランジャー（２６３）は蒸気排出管（２５４）を自動的に開閉させる。
【００４１】
ここで、蒸気排出管（２５４）と向き合う補助カバー部（２５０）にはプランジャー（２６３）の移動を誘導するホルダー（２５１）が具備される。このホルダー（２５１）とプランジャー（２６３）の間隙間を通じて蒸気が補助カバー部（２５０）の内側のレバー作動空間に流入することを防止するためにプランジャー（２６３）の端部とホルダー（２５１）の間にはダイヤフラム（２６５）が介在することが望ましい。ダイヤフラム（２６５）は柔軟性材質になっており、ホルダー（２５１）に固定プレート（２５２）を使って固定されるので、プランジャー（２６３）の上下移動にかかわらず蒸気が補助カバー部（２５０）の内側に流入することを防止して清潔な状態を維持することができる。このために、ダイヤフラム（２６５）は耐熱性が強いシリコーン材質で構成されているのが望ましい。
【００４２】
一方、プランジャー（２６３）は補助カバー部（２５０）に具備されたホルダー（２５１）の内側に介在されたプランジャースプリング（２６４）によって蒸気排出管（２５４）が開放される方向に弾性の力が支えられ、伝達部材（２６６）は伝達部材スプリング（２６７）によって下向きに弾性の力が支えられるのが望ましい。
【００４３】
これを通じて、ソレノイド（２１３）に電源が供給されなくて作動棒（２１４）が下がった状態ではプランジャー（２６３）が上昇された状態を維持し、図７で見るように、蒸気排出管（２５４）が常時開放された状態を維持するようになる。よって、内釜（２２０）の加熱過程で停電の際は、蒸気排出管（２５４）は自動的に開放され蒸気を排出させるので安全度を向上させることができる。
【００４４】
一方、プランジャー（２６３）の下端には蒸気排出管（２５４）と自動的に接触されて密閉させるように伸縮性材質のシーツ部（２７３）が具備され、プランジャー（２６３）が下降し、蒸気排出管（２５４）の密閉の際、シーリング性能を安定的に保障することができる。
【００４５】
このような本考案の実施形態による蒸気排出装置の作動を説明すれば次のようである。
【００４６】
図７に示したように、作動棒（２１４）が下側に移動すればレバー（２６０）が時計方向に回転し、プランジャー（２６３）がプランジャースプリング（２７３）の復元力によって上昇することで蒸気排出管（２５４）が開放される。
【００４７】
図８に示したように、ソレノイド（２１３）に電源が供給されて作動棒（２１４）が上側に移動しながらレバー（２６０）の片側を上昇させればレバー（２６０）が反時計方向に回転し始め、プランジャー（２６３）がレバー（２６０）の他の側によって加圧されて下降しながら蒸気排出管（２５４）を密閉させる。
【００４８】
一方、図１０は本考案の他の実施形態による圧力炊飯器の断面図であり、図１１及び図１２は圧力炊飯器の蒸気排出装置の主要部を拡大した断面図で、図１３は圧力炊飯器の本体とふたが分離した状態を現わした断面図である。
【００４９】
図１０で見るように、本実施形態による圧力炊飯器の基本的な構造は前述した実施形態と同じであり、このような同じ構造に対する説明は省略する。
【００５０】
図１１及び図１２で見るように、本実施形態によるソレノイド（３１３）の作動棒（３１４）は上下方向ではなく水平方向に前進/後退するように配置し、補助カバー部（３５０）の片側には作動棒（３１４）の前進/後退に対応して移動される伝達部材（３６６）が具備されている。
【００５１】
また、レバー（３６０）の片側は伝達部材（３６６）と接触し、自動的に回動し、レバー（３６０）の他の側はプランジャー（３６３）と繋がっている。ここで、プランジャー（３６３）の下側に具備されるダイヤフラム（２６５）、シーツ部（３７３）、蒸気排出管（３５４）、補助カバー部（３５０）に形成された誘導路（３７１）の構造は前述した実施形態と実質的に同じなので、説明は省略する。
【００５２】
ただ、プランジャー（３６３）とレバー（３６０）の連結関係に関して、レバー（３６０）の片側にはホールが形成され、プランジャー（３６３）の上側に十分な長さを持って交差し、形成された上端部がホールに挿入される。これと共に、上端部の上面には上下移動の際、レバー（３６０）の離脱を防止し、プランジャー（３６３）下降の際、レバー（３６０）と接触しレバー（３６０）を下降させる固定口（２６８）が結合される。すなわち、上端部の直径はレバー（３６０）のホールより小さく形成され、上記レバー（３６０）の片側は上記上端部に上下方向に所定の間隔を持って規則的に並べる拘束されることが望ましい。
【００５３】
一方、プランジャー（３６３）は補助カバー部（３５０）に具備されたホルダー（３５１）の内側に介在されたプランジャースプリング（３６４）によって蒸気排出管（３５４）が閉鎖される方向に弾性の力が支えられ、伝達部材（３６６）は伝達部材スプリング（３６７）によってレバー（３６０）の片側から後退する方向に弾性の力が支えられることが望ましい。
【００５４】
したがって、ソレノイド（３１３）に電源が供給されないことで作動棒（３１４）が後退した状態では、図１２で見るように、プランジャー（３６３）は下降し、蒸気排出管（３５４）を常時密閉させた状態を維持する。
【００５５】
一方、ソレノイド（３１３）に電源が供給されることで作動棒（３１４）が前進し、伝達部材（３６６）を通じてレバー（３６０）の片側を加圧し、回動させれば、レバー（３６０）の他端が上昇しながらプランジャー（３６３）を上昇させ、プランジャー（３６３）下端に具備されたシーツ部（３７３）が蒸気排出管（３５４）を開放させることが望ましい。
【００５６】
以上、前述したように、各実施形態で電気により作動するソレノイド（２１３，３１３）は本体（２１０，３１０）に具備される半面、ふた（２３０，３３０）にはレバー（２６０，３６０）及びプランジャー（２６３，３６３）のような単純な部品だけが設置されるので、図９及び図１３で見るように、ふた（２３０，３３０）を本体（２１０，３１０）から分離させ、電気的な部品の損傷を心配することなく、自由に洗うことができる。
【００５７】
一方、図１４は本考案の他の実施形態による内釜とふたを本体から分離した状態を現わした断面図である。
【００５８】
図１４で見るように、本考案の他の実施形態によると、内釜（３２０）の上部にふた（３３０）が結合されたまま本体（３１０）から分離すれば、別途の炊事器具として使うことができる。
【００５９】
詳しくは、内釜（３２０）を本体（３１０）から分離した状態でふた（３３０）を内釜（３２０）の上部に結合すれば、内釜（３２０）とふた（３３０）の間に具備されたカバーパッキングによって内釜（３２０）の内部が密閉される。ここで、内釜（３２０）の下部にガスレンジなどのような別途の加熱装置によって内釜（３２０）内部の食べ物を調理することができる。
【００６０】
さらに、本実施形態による蒸気排出装置（３４０）の伝達部材（３６６）はふた（３３０）の側面に露出するので、調理が終了した場合と同じく使用者が必要な時、伝達部材（３６６）を押すことでプランジャーが上昇し、蒸気排出管が開放されるようにして受動で蒸気を排出させることができる。
【００６１】
これと別に、伝達部材（３６６）が押された状態に固定されるようにロック装置（不図示）を具備して非圧力調理を遂行するようにすることもできる。
【００６２】
一方、上述したように本考案の各実施形態は本考案の理解を図るために構成したことで、単に前述した実施形態にだけ限らず、本考案は前述した実施形態の技術的な範囲内で多様なバリエーションを含む。
【図面の簡単な説明】
【００６３】
【図１】従来技術による開閉錘が適用された蒸気排出装置を持つ圧力炊飯器の断面図。
【図２】従来技術による開閉錘が適用された蒸気排出装置を持つ圧力炊飯器の要部拡大図。
【図３】従来技術による開閉錘が適用された蒸気排出装置を持つ圧力炊飯器の要部拡大図。
【図４】従来技術によるソレノイドバルブが適用された蒸気排出装置を持つ圧力炊飯器の断面図。
【図５】従来技術によるソレノイドバルブが適用された蒸気排出装置を持つ圧力炊飯器の要部拡大図。
【図６】本考案の一実施形態による分離型蒸気排出装置が適用された圧力炊飯器の断面図。
【図７】本考案の一実施形態による分離型蒸気排出装置の開放の際の要部拡大図。
【図８】本考案の一実施形態による分離型蒸気排出装置の閉鎖の際の要部拡大図。
【図９】本考案の使用実施形態による分離型蒸気排出装置が適用された圧力炊飯器のふたが分離した状態を現わした断面図。
【図１０】本考案の他の使用実施形態による分離型蒸気排出装置が適用された圧力炊飯器の断面図。
【図１１】本考案の他の使用実施形態による分離型蒸気排出装置の開時の要部拡大図。
【図１２】本考案の他の使用実施形態による分離型蒸気排出装置の閉時の要部拡大図。
【図１３】本考案の他の使用実施形態による分離型蒸気排出装置が適用された圧力炊飯器のふたが分離した状態を現わした断面図。
【図１４】本考案の他の使用実施形態による分離型蒸気排出装置が適用された圧力炊飯器の受動蒸気排出構造を現わした断面図。
【符号の説明】
【００６４】
２１０，３１０…本体
２１１，３１１…制御部
２１２，３１２…連結電線
２１３，３１３…ソレノイド
２１４，３１４…作動棒
２２０，３２０…内釜
２３０，３３０…ふた
２３１，３３１…開閉錘
２３２，３３２…開閉錘蒸気排出管
２３３，３３３…カバーパッキング
２４０，３４０…蒸気排出装置
２５０，３５０…補助カバー部 
２５１，３５１…ホルダー
２５２，３５２…固定プレート
２５３，３５３…開口部
２５４，３５４…蒸気排出管
２５５，３５５…ナット
２６０，３６０…レバー
２６１，３６１…回動軸
２６２，３６２…装着台 
２６３，３６３…プランジャー
２６４，３６４…プランジャースプリング
２６５，３６５…ダイヤフラム
２６６，３６６…伝達部材  
２６７，３６７…伝達部材スプリング
２６８，３６８…固定口
２７０，３７０…蒸気排出穴
２７１，３７１…ダイヤフラム室
２７２，３７２…蒸気排出口
２７３，３７３…シート部
【図１】
0003124242.tif 000003
【図２】
0003124242.tif 000004
【図３】
0003124242.tif 000005
【図４】
0003124242.tif 000006
【図５】
0003124242.tif 000007
【図６】
0003124242.tif 000008
【図７】
0003124242.tif 000009
【図８】
0003124242.tif 000010
【図９】
0003124242.tif 000011
【図１０】
0003124242.tif 000012
【図１１】
0003124242.tif 000013
【図１２】
0003124242.tif 000014
【図１３】
0003124242.tif 000015
【図１４】
0003124242.tif 000016